(57)【特許請求の範囲】
【請求項１】
矩形状の上枠体及び底板と、これら上枠体及び底板の間の対向する各縁部間に設けられた長側板及び短側板とからなり、前記上枠体の短辺側の縁部のそれぞれに前記短側板の上縁部を枢支して前記短側板を内方側に折り込み可能に連結し、前記上枠体の長辺側の縁部のそれぞれに上部長側板の上縁部を枢支して前記上部長側板を内方側に折り込み可能に連結し、前記底板の長辺側の縁部のそれぞれに下部長側板の下縁部を枢支して前記下部長側板を内方側に折り込み可能に連結し、前記上部長側板の下縁部と前記下部長側板の上縁部とを枢支して内方側に折り込み可能に連結した構造の折り畳み容器において、
前記上枠体の一方の長辺側上枠及びこれに枢支された一方の上部長側板がそれぞれ枢支された状態で両端支持部と中間本体部とに分割され、分割された長辺側上枠両端支持部と長辺側上枠中間本体部の両端部とがそれぞれ第１の係合手段によって係脱可能に形成されるとともに、前記長辺側上枠中間本体部が第２の係合手段によって前記上部長側板中間本体部に対し高さ方向に摺動可能及び回動可能に設けられ、前記第１の係合手段は、前記長辺側上枠両端支持部のそれぞれに設けられた係合部と、前記長辺側上枠中間本体部の両端部に設けられた被係合部とで形成され、起立状態に保持された前記長辺側上枠中間本体部を前記第２の係合手段を介して上方から下方に摺動させることにより、前記被係合部が前記係合部に上方より嵌入係止された状態で保持されるとともに、前記第２の係合手段を介して前記長辺側上枠中間本体部を上方に摺動させて前記第１の係合手段の係合を解除することにより、前記長辺側上枠中間本体部と前記上部長側板中間本体部とが起立状態の前記下部長側板の外方側に折り返し可能に設けられたことを特徴とする折り畳み容器。
【請求項２】
前記長辺側上枠中間本体部を前記第２の係合手段を介して前記上部長側板中間本体部に対し高さ方向に摺動させることにより、前記長辺側上枠中間本体部を前記上部長側板中間本体部の上縁部に嵌入した状態で保持する保持手段が設けられたものである請求項１記載の折り畳み容器。
【請求項３】
前記上部長側板の下縁部と前記下部長側板の上縁部とを枢支する軸を第１の軸とするとき、前記長辺側上枠中間本体部を前記上部長側板中間本体部の上縁部に嵌入して前記保持手段により保持した状態で、前記第１の軸から前記長辺側上枠中間本体部の上端縁までの長さが、前記第１の軸から前記底板の下端縁までの長さと同じかこれよりも短くなるように、前記長辺側上枠中間本体部の摺動距離が設定されているものである請求項２記載の折り畳み容器。
【請求項４】
前記長辺側上枠中間本体部と上下方向に対峙する前記底板の長辺側側壁を、前記長辺側上枠中間本体部より若干幅広に切り欠くとともに、その切り欠き深さは、前記被係合部を前記係合部に上方より嵌入係止させるために、前記長辺側上枠中間本体部が前記長辺側上枠両端支持部より上方に突出する高さよりも若干深くなるように設定されているものである請求項１、２又は３記載の折り畳み容器。
【発明の詳細な説明】
【０００１】
【発明の属する技術分野】
本発明は、合成樹脂製の折り畳み容器に係り、より詳細には、容器を組み上げて物品を収納し、積み重ねた状態で保管や輸送を行う場合に、その積み重ねた状態でも内容物の確認及び取り出しを容易に行うことのできる折り畳み容器に関する。
【０００２】
【従来の技術】
従来より、小物品を輸送する場合には、その小物品を容器に収納し、これを積み重ねてトラック等に積載して、目的地まで輸送している。そして、輸送し終えると、空になった容器を再び積み重ねてトラック等に積載して、返送していた。
【０００３】
この場合、空になった容器をそのまま積載して返送するのでは、輸送効率が極めて悪いことから、返送時には折り畳むことのできる容器が従来より提案されている。
【０００４】
この折り畳み容器は、図１５に示すように、矩形状の上枠体８１及び底板８２と、これら上枠体８１及び底板８２の間の対向する各縁部間に設けられた長側板８３，８３及び短側板８４，８４とで構成され、各長側板８３，８３は、上部長側板８５と下部長側板８６とで構成されている。
【０００５】
そして、上枠体８１の短辺側の下縁部８１１，８１１のそれぞれに短側板８４，８４の上縁部８４１，８４１を軸９１により枢支して、短側板８４，８４を内方側に折り込み可能に連結し、上枠体８１の長辺側の下縁部８１２，８１２のそれぞれに上部長側板８５，８５の上縁部８５１，８５１を軸９２により枢支して、上部長側板８５，８５を内方側に折り込み可能に連結し、底板８２の長辺側の上縁部８２２，８２２のそれぞれに下部長側板８６，８６の下縁部８６１，８６１を軸９３により枢支して、下部長側板８６，８６を内方側に折り込み可能に連結し、上部長側板８５，８５の下縁部８５２，８５２と下部長側板８６，８６の上縁部８６２，８６２とを軸９４により枢支して、内方側に折り込み可能に連結した構造となっている。
【０００６】
このような構造の折り畳み容器を折り畳む手順は、まず短辺側に設けられた短側板８４，８４を軸９１回りに内方側に跳ね上げ、次に長辺側の上部長側板８５，８５と下部長側板８６，８６とを連結している軸９４部分を内方に押し込むようにしながら、上部長側板８５，８５を軸９２回りに、下部長側板８６，８６を軸９３回りにそれぞれ内方に折り込んで、底板８２上に下部長側板８６，８６と上部長側板８５，８５とを順次折り重ねる。これにより、折り重ねられた上部長側板８５，８５の上に、跳ね上げられた短側板８４，８４が重なり、これら下部長側板８６，８６、上部長側板８５，８５及び短側板８４，８４を内包するように上枠体８１が重なって、折り畳みを完了する。
【０００７】
一方、このように折り畳まれた容器を組み立てる手順は、上記の折り畳み手順と全く逆の手順で行えばよい。すなわち、矩形状の上枠体８１を底板８２から離すように持ち上げて、折り重ねられていた上部長側板８５，８５と下部長側板８６，８６とを起立させ、次に跳ね上げていた両短側板８４，８４をそれぞれ軸９１回りに下方かつ外方に折り開き、その下縁部８４２，８４２を底板８２の短辺側の上縁部８２１，８２１に係合して、組み立てを完了する。
【０００８】
図１６は、短側板８４の下縁部８４２と、底板８２の短辺側の上縁部８２１との係合構造を示している。
すなわち、短側板８４の下縁部８４２の中央部に嵌入口８４３を形成し、底板８２の短辺側の上縁部８２１の対向する位置に嵌入爪８２３を形成している。そして、短側板８４を軸９１回りに下方かつ外方に垂直になるまで折り開いたとき、嵌入口８４３に嵌入爪８２３が嵌入係止されるようになっている。
【０００９】
また、この状態まで開いたとき、短側板８４の全体が、上枠体８１の短辺側の下縁部８１１と、両長側板８３，８３の側縁部８３１，８３１と、底板８２の短辺側の上縁部８２１とで形成される開口部に嵌合される形となる。
【００１０】
そのため、この係止構造と、短側板８４の開口部への嵌合力とによって、短側板８４が簡単には内方側へ跳ね上がらないようになっている。
このような構造の折り畳み容器では、容器を組み立てて小物品を収納し、積み重ねた状態で保管している場合、その収納物の検査や確認あるいは取り出し及び収納を行うためには、積み重ねた容器をいちいち下ろしてそれらを行わなければならないといった問題があった。
【００１１】
そこで、このような問題を解決すべく、容器の一側面に開口部を設け、この開口部に蓋体を取り付けた構造の折り畳み容器が提案されている（特公平５−２５７４３号公報参照）。
【００１２】
この改良型の折り畳み容器は、矩形上枠の長辺側の端縁部に二つ折れ用の上側片を内方に折り畳み自在に枢支連結し、矩形上枠に対向する矩形下板の長辺側の端縁部に二つ折れ用の下側片を内方に折り畳み自在に枢支連結し、上下側板を内方に折り畳み自在に枢支連結し、矩形上枠もしくは矩形下板の短辺側の端縁部にあおり側板を連結した合成樹脂製折り畳み容器であって、上下側片にて構成された左右の長尺側板のうち少なくとも一方の長尺側板においてその長さ方向の中間部に長い長尺開口を上下側板にわたって切除して形成し、長尺開口の両側に残る上側片部分の上端が矩形上枠に係脱自在もしくは折り畳み自在に取着され、又、長尺開口の両側に残る下側片部分の下端が矩形下板に折り畳み自在に枢着され、上側片部分と下側片部分とが内側に折り畳み自在に枢支連結され、長尺開口を閉塞する蓋体を内外方向に回動自在に枢着し、長尺開口の開口上端部に係止爪が設けられ、蓋体の上縁部においてスプリングにてロック片が弾性付勢されて突出され、ロック片に一体化されるとともに蓋体に対して昇降自在になされた把手状の外し体が蓋体の外側方に突出され、外し体の押下げ操作にてロック片を係止爪から外し自在になし、蓋体を上下に二分割するとともにこれら分割半体を折り畳み自在に枢支連結して成るものである。
【００１３】
すなわち、図１５に示す折り畳み容器において、一方の長側板８３の中間部に、長い長尺開口を上下長側板８５，８６にわたって切除して形成し、この長尺開口を閉塞する蓋体を内外方向に回動可能に枢着し、蓋体の閉塞状態を維持するロック手段を解除可能に設けた構成となっている。
【００１４】
【発明が解決しようとする課題】
しかしながら、このような改良型の折り畳み容器では、蓋体を開いたとき上枠が残ることから、この上枠が邪魔になって中の物品が取り出しにくいといった問題があった。
【００１５】
また、蓋体は、上下長側板８５，８６のほぼ全体にわたって切除された長尺開口を閉塞可能な大きな形状に形成されているため、これを開いたとき折り畳み容器の底面部よりも下方に垂れ下がることになる。そのため、この折り畳み容器を積み重ねて使用しているときに、上段の折り畳み容器の蓋体を開くと、下段の折り畳み容器の開口部を塞ぐ形となって、このままでは下部の折り畳み容器の蓋体を開くことができないといった問題があった。
【００１６】
つまり、上下に積み重ねられた折り畳み容器の両方から例えば物品を取り出す場合には、まず上段（又は下段）の折り畳み容器の蓋体を開いて中の物品を取り出し、この蓋体を閉じてから、次に下段（又は上段）の折り畳み容器の蓋体を開いて中の物品を取り出すといった作業となるため、取り出し作業に時間がかかるといった問題があった。このことは、物品を折り畳み容器に収納する場合も同様である。
【００１７】
本発明は係る問題点を解決すべく創案されたもので、その目的は、容器としての強度を維持しつつ、上枠の一部をも含めて上部長側板を開放できるようにするとともに、開いた上部長側板が折り畳み容器の底面部より下方に垂れ下がらないようにすることによって、折り畳み容器を積み重ねて使用する場合、上段の折り畳み容器の上部長側板を開いた状態でも、下段の折り畳み容器の上部長側板を開くことのできる構造とした折り畳み容器を提供することにある。
【００１８】
【課題を解決するための手段】
上記課題を解決するため、本発明の請求項１記載の折り畳み容器は、矩形状の上枠体及び底板と、これら上枠体及び底板の間の対向する各縁部間に設けられた長側板及び短側板とからなり、前記上枠体の短辺側の縁部のそれぞれに前記短側板の上縁部を枢支して前記短側板を内方側に折り込み可能に連結し、前記上枠体の長辺側の縁部のそれぞれに上部長側板の上縁部を枢支して前記上部長側板を内方側に折り込み可能に連結し、前記底板の長辺側の縁部のそれぞれに下部長側板の下縁部を枢支して前記下部長側板を内方側に折り込み可能に連結し、前記上部長側板の下縁部と前記下部長側板の上縁部とを枢支して内方側に折り込み可能に連結した構造の折り畳み容器において、前記上枠体の一方の長辺側上枠及びこれに枢支された一方の上部長側板がそれぞれ枢支された状態で両端支持部と中間本体部とに分割され、分割された長辺側上枠両端支持部と長辺側上枠中間本体部の両端部とがそれぞれ第１の係合手段によって係脱可能に形成されるとともに、前記長辺側上枠中間本体部が第２の係合手段によって前記上部長側板中間本体部に対し高さ方向に摺動可能及び回動可能に設けられ、前記第１の係合手段は、前記長辺側上枠両端支持部のそれぞれに設けられた係合部と、前記長辺側上枠中間本体部の両端部に設けられた被係合部とで形成され、起立状態に保持された前記長辺側上枠中間本体部を前記第２の係合手段を介して上方から下方に摺動させることにより、前記被係合部が前記係合部に上方より嵌入係止された状態で保持されるとともに、前記第２の係合手段を介して前記長辺側上枠中間本体部を上方に摺動させて前記第１の係合手段の係合を解除することにより、前記長辺側上枠中間本体部と前記上部長側板中間本体部とが起立状態の前記下部長側板の外方側に折り返し可能に設けられたものである。
【００１９】
また、本発明の請求項２記載の折り畳み容器は、請求項１記載のものにおいて、前記長辺側上枠中間本体部を前記第２の係合手段を介して前記上部長側板中間本体部に対し高さ方向に摺動させることにより、前記長辺側上枠中間本体部を前記上部長側板中間本体部の上縁部に嵌入した状態で保持する保持手段が設けられたものである。
【００２０】
また、本発明の請求項３記載の折り畳み容器は、請求項２記載のものにおいて、前記上部長側板の下縁部と前記下部長側板の上縁部とを枢支する軸を第１の軸とするとき、前記長辺側上枠中間本体部を前記上部長側板中間本体部の上縁部に嵌入して前記保持手段により保持した状態で、前記第１の軸から前記長辺側上枠中間本体部の上端縁までの長さが、前記第１の軸から前記底板の下端縁までの長さと同じかこれよりも短くなるように、前記長辺側上枠中間本体部の摺動距離が設定されているものである。
【００２１】
また、本発明の請求項４記載の折り畳み容器は、請求項１、２又は３記載のものにおいて、前記長辺側上枠中間本体部と上下方向に対峙する前記底板の長辺側側壁を、前記長辺側上枠中間本体部より若干幅広に切り欠くとともに、その切り欠き深さは、前記被係合部を前記係合部に上方より嵌入係止させるために、前記長辺側上枠中間本体部が前記長辺側上枠両端支持部より上方に突出する高さよりも若干深くなるように設定されているものである。
【００２２】
【発明の実施の形態】
以下、本発明の実施の形態について図面を参照して説明する。
図１は、本発明の折り畳み容器の全体構成を示している。
【００２３】
本発明の折り畳み容器は、基本的な部材構成については、図１５に示した従来の折り畳み容器の構成と同様である。
すなわち、矩形状の上枠体１及び底板２と、これら上枠体１及び底板２の間の対向する各縁部間に設けられた長側板３，３及び短側板４，４とで構成され、各長側板３，３は、上部長側板５と下部長側板６とで構成されている。
【００２４】
そして、上枠体１の短辺側の下縁部１１，１１のそれぞれに短側板４，４の上縁部１２，１２を軸７４により枢支して、短側板４，４を内方側に折り込み可能に連結し、上枠体１の長辺側の下縁部１３，１３のそれぞれに上部長側板５，５の上縁部１４，１４を軸（第２の軸）７２により枢支して、上部長側板５，５を内方側に折り込み可能に連結し、底板２の長辺側の上縁部１５，１５のそれぞれに下部長側板６，６の下縁部１６，１６を軸７３により枢支して、下部長側板６，６を内方側に折り込み可能に連結し、上部長側板５，５の下縁部１７，１７と下部長側板６，６の上縁部１８，１８とを軸（第１の軸）７１により枢支して、内方側に折り込み可能に連結した構造となっている。
【００２５】
また、図示は省略しているが、短側板４の下縁部１９と、底板２の短辺側の上縁部２０との係合構造も、図１６に示したものと同様の構造となっている。
このような基本構造において、本発明の折り畳み容器は、上枠体１の一方の長辺側上枠１Ａ及びこれに枢支された一方の上部長側板５Ａが、それぞれ軸７２により枢支された状態で、両端支持部１Ａ１，１Ａ２，５Ａ１，５Ａ２と中間本体部１Ａ３，５Ａ３とに分割され、分割された長辺側上枠両端支持部１Ａ１，１Ａ２と長辺側上枠中間本体部１Ａ３の両端部２１，２２とがそれぞれ第１の係合手段Ｗによって係脱可能に形成されている。そして、この第１の係合手段Ｗの係合を解除することにより、長辺側上枠中間本体部１Ａ３と上部長側板中間本体部５Ａ３とが、起立状態の下部長側板６の外方側に折り返し可能に設けられたものである。
【００２６】
すなわち、上枠体１は、他方の長辺側上枠１Ｃと両短辺側上枠１Ｂ，１Ｄと長辺側上枠両端支持部１Ａ１，１Ａ２とが一体的に形成され、長辺側上枠中間本体部１Ａ３のみが、この略Ｃ字形に形成された枠体１Ｃ，１Ｂ，１Ｄ，１Ａ１，１Ａ２に対して係脱可能に設けられたものである。
【００２７】
図２ないし図５は、この第１の係合手段Ｗの具体的構造を示している。ただし、この図には長辺側上枠右端支持部１Ａ２と長辺側上枠中間本体部１Ａ３の右端部２２とに設けられた第１の係合手段Ｗを示しているが、長辺側上枠左端支持部１Ａ１と長辺側上枠中間本体部１Ａ３の左端部２１とに設けられた第１の係合手段Ｗについても、全く同様の構造である。
【００２８】
すなわち、長辺側上枠右端支持部１Ａ２の上面２４の端部に、端側面２５側に開口するＴ字形嵌合溝部２６が形成され、端側面２５の内方側の縁部２５ａに沿って縦長の第１の当接片２７が形成され、端側面２５の外方側の縁部２５ｂの下端部に第２の当接片２８が形成されている。
【００２９】
一方、長辺側上枠中間本体部１Ａ３の右端部２２には、その端側面３１の上端部に外側方に突出したＴ字形嵌合突起部３５が形成され、端側面３１の内方側の角部３１ａを切り欠くようにして縦長の第１の当接溝３６が形成され、端側面３１の外方側の角部３１ｂの下端部を切り欠くようにして第２の当接溝３７が形成されている。つまり、第１の当接溝３６は、長辺側上枠中間本体部１Ａ３の端側面３１側、内側面３２側、底面３４側の３方が開口されており、第２の当接溝３７は、長辺側上枠中間本体部１Ａ３の端側面３１側、外側面３３側、底面３４側の３方が開口されている。
【００３０】
そして、Ｔ字形嵌合突起部３５はＴ字形嵌合溝部２６に上方より嵌入され、第１の当接溝３６は第１の当接片２７に側方より嵌合し、第２の当接溝３７は第２の当接片２８に上方より嵌合するようになっている。
【００３１】
つまり、長辺側上枠中間本体部１Ａ３のＴ字形嵌合突起部３５を、長辺側上枠右端支持部１Ａ２のＴ字形嵌合溝部２６に嵌合させるためには、図２及び図４に示すように、長辺側上枠中間本体部１Ａ３を長辺側上枠右端支持部１Ａ２に対して距離Ｈ３（Ｔ字形嵌合突起部３５の厚みより若干長い距離）だけ引き上げる必要がある。すなわち、長辺側上枠中間本体部１Ａ３を上部長側板中間本体部５Ａ３に対して上下方向（図４及び図５中、矢符Ｑ方向）に摺動可能な構造とする必要がある。これは、後述する第２の係合手段Ｘによって実現されているが、ここでは長辺側上枠中間本体部１Ａ３が上部長側板中間本体部５Ａ３に対して上下方向に摺動できることを前提に、第１の係合手段Ｗの係合動作について、図２ないし図４を参照して説明する。
【００３２】
長辺側上枠中間本体部１Ａ３は、上述の如く、長辺側上枠右端支持部１Ａ２に対して距離Ｈ３だけ上方に引き上げられているものとする。図２はこの状態を示している。
【００３３】
この図２に示す状態から、長辺側上枠中間本体部１Ａ３を内方側（矢符Ｐ方向）へ押し込むと、第１の当接溝３６が第１の当接片２７に側方より嵌入し、第１の当接片２７の側面２７ａに、第１の当接溝３６の側面３６ａが当接して位置決めが行われる。すなわち、この状態で、Ｔ字形嵌合突起部３５とＴ字形嵌合溝部２６とが上下に対峙し、第２の当接溝３７と第２の当接片２８とが上下に対峙するので、長辺側上枠中間本体部１Ａ３を下方に押し下げると、Ｔ字形嵌合突起部３５がＴ字形嵌合溝部２６に上方より嵌入し、第２の当接溝３７が第２の当接片２８に上方より嵌合する。また、第１の当接溝３６は第１の当接片２７に当接した状態で、下方に摺動することになる。
【００３４】
そして、Ｔ字形嵌合突起部３５の下面がＴ字形嵌合溝部２６の底面に、又は第１の当接溝３６の上面３６ｂが第１の当接片２７の上端面２７ｂに、又は第２の当接溝３７の上面３７ｂが第２の当接片２８の上端面２８ｂにそれぞれ当接（若しくはいずれか１つ又は２つが当接）する位置まで長辺側上枠中間本体部１Ａ３を押しさげると、長辺側上枠中間本体部１Ａ３の上面３８と長辺側上枠右端支持部１Ａ２の上面２４とが同じ高さ（若しくは長辺側上枠中間本体部１Ａ３の上面３８が長辺側上枠右端支持部１Ａ２の上面２４より若干低い位置）となって、第１の係合手段Ｗが係合状態となる。
【００３５】
そして、収納した内容物によって容器が押圧され、短側板４の内面に外方向への力が加わった場合、この力はＴ字形嵌合突起部３５とＴ字形嵌合溝部２６との当接面で受け止められ、上部長側板中間本体部５Ａ３の内面に外方向への力が加わった場合、この力はＴ字形嵌合突起部３５とＴ字形嵌合溝部２６との当接面、及び第２の当接片２８と第２の当接溝３７との当接面２８ａ，３７ａとで受け止められ、上部長側板中間本体部５Ａ３の外面に内方向への力が加わった場合、この力はＴ字形嵌合突起部３５とＴ字形嵌合溝部２６との当接面、及び第１の当接片２７と第１の当接溝３６との当接面２７ａ，３６ａとで受け止められるため、第１の係合手段Ｗの係合状態は保持されることになる。
【００３６】
なお、上部長側板中間本体部５Ａ３の外方向への力に対しては、上記した如く、Ｔ字形嵌合突起部３５とＴ字形嵌合溝部２６との当接面の他に、第２の当接片２８と第２の当接溝３７との当接面２８ａ，３７ａで受け止められ、上部長側板中間本体部５Ａ３の内方向への力に対しては、上記した如く、Ｔ字形嵌合突起部３５とＴ字形嵌合溝部２６との当接面の他に、第１の当接片２７と第１の当接溝３６との当接面２７ａ，３６ａで受け止められるため、Ｔ字形嵌合突起部３５とＴ字形嵌合溝部２６との嵌合部に、内外方向の力に対する回転力が直接加わることはない。
【００３７】
また、長辺側上枠中間本体部１Ａ３と上下方向に対峙する底板２の長辺側側壁２３には、長辺側上枠中間本体部１Ａ３より若干幅広の切欠部２９が形成されており、この切欠部２９の切り欠き深さＨ４（図１参照）は、長辺側上枠中間本体部１Ａ３の上方への引き上げ距離Ｈ３よりも若干深くなるように設定されている。
【００３８】
これにより、本発明の折り畳み容器を積み重ねて使用したとき、上段の折り畳み容器の底板２に邪魔されることなく、下段側の折り畳み容器の長辺側上枠中間本体部１Ａ３を上方に距離Ｈ３だけ引き上げることができるものである。
【００３９】
また、本発明の折り畳み容器は、長辺側上枠中間本体部１Ａ３と上部長側板中間本体部５Ａ３の上縁部１４とが、第２の係合手段Ｘによって回動可能及び摺動可能に連設されているとともに、長辺側上枠中間本体部１Ａ３が上部長側板中間本体部５Ａ３の上縁部１４に嵌入した状態で、保持手段Ｙによって保持されるようになっている。
【００４０】
図５ないし図８は、この第２の係合手段Ｘ及び保持手段Ｙの具体的構造を示している。ただし、この図には長辺側上枠中間本体部１Ａ３及び上部長側板中間本体部５Ａ３の右端側に設けられた第２の係合手段Ｘ及び保持手段Ｙを示しているが、長辺側上枠中間本体部１Ａ３及び上部長側板中間本体部５Ａ３の左端側に設けられた第２の係合手段Ｘ及び保持手段Ｙについても、全く同様の構造である。
【００４１】
すなわち、上部長側板中間本体部５Ａ３の上縁部１４には、第２の軸７２，７２を支持する軸受部７５（図２を併せて参照）が長手方向に沿って複数箇所に設けられており、この軸受部７５は、１対の第２の軸７２，７２がそれぞれ一体的に形成された１対の軸受板７６，７６（図２参照）と、これら軸受板７６，７６を連接する連接板７７とで構成されている。また、連接板７７の背面側には、その先端部に係止段部７７ａが形成されている。
【００４２】
また、上部長側板中間本体部５Ａ３の上縁部１４には、このような構造の軸受部７５に形成された第２の軸７２，７２・・・に、連接棒４１が回動可能に枢支されており、この連接棒４１の側端部に案内片４２が形成されている。
【００４３】
一方、長辺側上枠中間本体部１Ａ３の右端部２２には、その壁面に縦長に形成された所定長さの摺動溝部５１が形成されており、この摺動溝部５１内に連接棒４１の案内片４２が嵌入された状態で、上下方向（図５中、矢符Ｑ方向）に摺動できるようになっている。
【００４４】
つまり、長辺側上枠中間本体部１Ａ３は、上部長側板中間本体部５Ａ３に対しては、連接棒４１と一体となって第２の軸７２，７２・・・を中心に回動（図５中、矢符Ｐ方向）し、連接棒４１に対しては、案内片４２に摺動溝部５１が案内される形で摺動することにより、上下方向（矢符Ｑ方向）に摺動可能となっている。
【００４５】
また、長辺側上枠中間本体部１Ａ３の背面板５５の下端縁５６から、軸受部７５に対向して係止板５７が延設されており、この係止板５７の内面側に、連接板７７に形成された係止段部７７ａと係合する係止突起部５８が形成されている。
【００４６】
つまり、連結棒４１が第２の係合手段Ｘの主体的な役割を果たしており、連接板７７の先端部に形成された係止段部７７ａと係止板５７に形成された係止突起部５８とで保持手段Ｙを構成している。
【００４７】
すなわち、第１の係合手段Ｗにより長辺側上枠中間本体部１Ａ３が長辺側上枠右端支持部１Ａ２に係合保持された状態では、図６に示すように、長辺側上枠中間本体部１Ａ３は上部長側板中間本体部５Ａ３に対して上方一杯まで伸びた状態から若干（距離Ｈ３）下がった状態となっている。また、この状態では、上部長側板中間本体部５Ａ３は、連接棒４１に対して第１の軸７２を中心に内方に回動可能（図６中に二点鎖線により示す）な状態に枢支されている。
【００４８】
一方、第１の係合手段Ｗの係合を解除して（すなわち、長辺側上枠中間本体部１Ａ３を距離Ｈ３だけ上方に引き上げて後）、長辺側上枠中間本体部１Ａ３を下方（図７において符号Ｑにより示す）に押し込むと、連接棒４１の案内片４２に摺動溝部５１が案内される形で、長辺側上枠中間本体部１Ａ３が下方に摺動し、連接棒４１を内包するようにして上部長側板中間本体部５Ａ３の上縁部１４に嵌入される（図７参照）。このときの長辺側上枠中間本体部１Ａ３の摺動距離をＨ３＋Ｈ２とする。つまり、距離Ｈ２は、第１の係合手段Ｗが係合しているときの高さから、上部長側板中間本体部５Ａ３の上縁部１４に嵌入されるまでの長辺側上枠中間本体部１Ａ３の摺動距離を示している。
【００４９】
また、図７に示すように長辺側上枠中間本体部１Ａ３を上部長側板中間本体部５Ａ３の上縁部１４に嵌入すると、長辺側上枠中間本体部１Ａ３の背面板５５に形成された係止板５７の係止突起部５８が、軸受部７５の連接板７７に形成された係止段部７７ａを乗り越えて、係止段部７７ａに係合することになる（図８参照）。係止突起部５８が係止段部７７ａを乗り越えるとき、係止突起部５８は係止段部７７ａによって外方に押し広げられるように移動するが、この移動は、係止板５７が外方側に弾性変形することによって吸収される。
【００５０】
これにより、長辺側上枠中間本体部１Ａ３は、上部長側板中間本体部５Ａ３の上縁部１４に嵌入された状態で、保持手段Ｙにより保持されるとともに、第２の軸７２を中心とする回動も規制されることになる。つまり、長辺側上枠中間本体部１Ａ３を、上部長側板中間本体部５Ａ３の上縁部１４に嵌入した状態で、下部長側板６の外方側に折り返しても（図１０に示す状態）、長辺側上枠中間本体部１Ａ３が自重によって上部長側板中間本体部５Ａ３の上縁部１４から抜け出てしまう（図１０中に破線で示す状態）といった心配はない。
【００５１】
なお、この係合状態を解除するには、図１０に実線で示す状態から、長辺側上枠中間本体部１Ａ３を若干力を加えて下方に引っ張ることにより、係止板５７の弾性変形によって係止突起部５８が係止段部７７ａから外れ、係合が解除され、破線で示す状態まで引き出される。または、係合状態のまま軸７１を中心に上部長側板中間本体部５Ａ３を上方まで回動させ、この時点で長辺側上枠中間本体部１Ａ３を若干力を加えて上方に引っ張ることにより、係止板５７の弾性変形によって係止突起部５８が係止段部７７ａから外れ、係合が解除される。
【００５２】
ところで、本発明の折り畳み容器では、折り畳んだときの状態を考えれば、軸７１と軸７２との軸間距離Ｌ１（図９参照）と、軸７１と軸７３との軸間距離Ｌ２（図９参照）との関係は、Ｌ１＝Ｌ２であることが必要である。また、強度の点から、通常は底板２の高さより上枠体１の高さの方が高く形成されている。
【００５３】
従って、第１の係合手段Ｗの係合を解除した状態で、長辺側上枠中間本体部１Ａ３と上部長側板中間本体部５Ａ３とを下部長側板６の外方側に折り返すと、図９及び図１０に示すように、長辺側上枠中間本体部１Ａ３が底板２の底面から下方に垂れ下がることになる。そこで、このときの垂れ下がり距離をＨ１とすると、上述した長辺側上枠中間本体部１Ａ３の摺動距離Ｈ２（図７参照）を、Ｈ２≧Ｈ１となるように設定する。
【００５４】
これにより、第１の係合手段Ｗの係合を解除して長辺側上枠中間本体部１Ａ３と上部長側板中間本体部５Ａ３とを下部長側板６の外方側に折り返し、かつ長辺側上枠中間本体部１Ａ３を摺動させて上部長側板中間本体部５Ａ３の上縁部１４に嵌入すると、図１０に実線で示すように、長辺側上枠中間本体部１Ａ３が底板２の底面から下方に垂れ下がることがない。
【００５５】
これにより、本発明の折り畳み容器を積み重ねて使用したとき、上段側の折り畳み容器の上部長側板中間本体部５Ａ３を開放した状態で、上段側の長辺側上枠中間本体部１Ａ３に邪魔されることなく、下段側の折り畳み容器の長辺側上枠中間本体部１Ａ３及び上部長側板中間本体部５Ａ３を開放することができるものである。
【００５６】
なお、長辺側上枠中間本体部１Ａ３と上部長側板中間本体部５Ａ３とを下部長側板６の外方側に折り返したとき、底板２の底部から長辺側上枠中間本体部１Ａ３が垂れ下がる問題は、図１１及び図１２に斜線を付して示すように、底板２の高さを高くして上枠体１の高さに合わせれば解決できる。しかし、それでは図１３に示す本発明の折り畳み容器と比べて、折り畳んだときの高さが高くなり（ｈ２＞ｈ１）、折り畳んだ状態での容器の容積が増加するため現実的ではない。
【００５７】
また、図１４は、上部長側板中間本体部５Ａ３の右端部５９と上部長側板右端支持部５Ａ２との当接部分を示す断面図であり、上部長側板中間本体部５Ａ３の右端部５９の背面が上部長側板右端支持部５Ａ２の受け片６０に当接する構造となっている。これにより、上部長側板中間本体部５Ａ３の中央部に前面より外力が内方向に加わった場合でも、この外力は上部長側板中間本体部５Ａ３の右端部５９の背面と上部長側板右端支持部５Ａ２の受け片６０との当接部分に分散され、連接棒４１に加わる内方向への力が軽減されるものである。
【００５８】
次に上記構成の折り畳み容器の折り畳み手順、組み立て手順、及び長辺側上枠１Ａと上部長側板５とを外方に開く手順について順次説明する。
折り畳み手順は、まず短辺側に設けられた短側板４，４を軸７４回りに内方側に跳ね上げ、次に長辺側の上部長側板５，５と下部長側板６，６とを連結している軸７１部分を内方に押し込むようにしながら、上部長側板５，５を軸７２回りに、下部長側板６，６を軸７３回りにそれぞれ内方に折り込んで、底板２上に下部長側板６，６と上部長側板５，５とを対称形状に順次折り重ねる。これにより、折り重ねられた上部長側板５，５の上に、跳ね上げられた短側板４，４が重なり、これら下部長側板６，６、上部長側板５，５及び短側板４，４を内包するように上枠体１が重なって、折り畳みを完了する。
【００５９】
一方、このように折り畳まれた容器を組み立てる手順は、上記の折り畳み手順と全く逆の手順で行えばよい。すなわち、矩形状の上枠体１を底板２から離すように持ち上げて、折り重ねられていた上部長側板５，５と下部長側板６，６とを起立させ、次に跳ね上げていた短側板４，４を軸７４回りに下方かつ外方に折り開いて、組み立てを完了する。
【００６０】
次に、このようにして組み立てられた容器において、長辺側上枠中間本体部１Ａ３と上部長側板中間本体部５Ａ３とを外方に開く手順を説明する。
すなわち、長辺側上枠中間本体部１Ａ３を上方に距離Ｈ３だけ引き上げると、長辺側上枠中間本体部１Ａ３のＴ字形嵌合突起部３５がＴ字形嵌合溝部２６から上方に退出し（図４参照）、第２の当接片２８から第２の当接溝３７が上方に退出して、第１の係合手段Ｗの係合が解除される。
【００６１】
これにより、長辺側上枠中間本体部１Ａ３及び上部長側板中間本体部５Ａ３がフリーの状態となって、下部長側板６の外面側に折り返され、長辺側上枠中間本体部１Ａ３及び上部長側板中間本体部５Ａ３の部分が容器の開口部となる。
【００６２】
このとき、上述した如く、長辺側上枠中間本体部１Ａ３を上部長側板中間本体部５Ａ３の上縁部１４に嵌入しておけば、折り畳み容器を多段に積み重ねて使用したときでも、開放した長辺側上枠中間本体部１Ａ３が、下段の折り畳み容器の長辺側上枠中間本体部１Ａ３及び上部長側板中間本体部５Ａ３の開閉の邪魔になることはない。
【００６３】
次に、開いた長辺側上枠中間本体部１Ａ３及び上部長側板中間本体部５Ａ３を閉める手順について説明する。
閉める手順は、上記の開く手順と全く逆であって、長辺側上枠中間本体部１Ａ３を下方に引っ張ることによって、長辺側上枠中間本体部１Ａ３を上部長側板中間本体部５Ａ３の上縁部１４から引き出し、軸７１を中心に長辺側上枠中間本体部１Ａ３及び上部長側板中間本体部５Ａ３を上方まで回動させる。これにより、第１の当接溝３６が第１の当接片２７に側方より嵌入し、第１の当接片２７の側面２７ａに、第１の当接溝３６の側面３６ａが当接して位置決めが行われるので、後は、長辺側上枠中間本体部１Ａ３を下方に押し下げるだけで、Ｔ字形嵌合突起部３５がＴ字形嵌合溝部２６に上方より嵌入し、第２の当接溝３７が第２の当接片２８に上方より嵌合し、第１の当接溝３６が第１の当接片２７に当接した状態で下方に摺動して、第１の係合手段Ｗが係合状態となる。
【００６４】
なお、本発明の折り畳み容器は、上枠体１の一方の長辺側上枠１Ａ及びこれに枢支された一方の上部長側板５Ａを、それぞれ軸７２により枢支した状態で、両端支持部１Ａ１，１Ａ２，５Ａ１，５Ａ２と中間本体部１Ａ３，５Ａ３とに分割した構造としているので、例えば長辺側上枠中間本体部１Ａ３及び上部長側板中間本体部５Ａ３を取り外した場合でも、長辺側上枠両端支持部１Ａ１，１Ａ２と上部長側板両端支持部５Ａ１，５Ａ２とが残ることから、通常の方法で容器の折り畳みと組み立てとが行えるとともに、組み立てた状態での積み重ね使用にも十分に耐えられる強度を有するものである。
【００６５】
【発明の効果】
本発明の請求項１記載の折り畳み容器は、上枠体の一方の長辺側上枠及びこれに枢支された一方の上部長側板がそれぞれ枢支された状態で両端支持部と中間本体部とに分割され、分割された長辺側上枠両端支持部と長辺側上枠中間本体部の両端部とがそれぞれ第１の係合手段によって係脱可能に形成されるとともに、長辺側上枠中間本体部が第２の係合手段によって上部長側板中間本体部に対し高さ方向に摺動可能及び回動可能に設けられ、第１の係合手段は、長辺側上枠両端支持部のそれぞれに設けられた係合部と、長辺側上枠中間本体部の両端部に設けられた被係合部とで形成され、起立状態に保持された長辺側上枠中間本体部を第２の係合手段を介して上方から下方に摺動させることにより、被係合部が係合部に上方より嵌入係止された状態で保持されるとともに、第２の係合手段を介して長辺側上枠中間本体部を上方に摺動させて第１の係合手段の係合を解除することにより、長辺側上枠中間本体部と上部長側板中間本体部とが起立状態の下部長側板の外方側に折り返し可能に設けられたものである。すなわち、第１の係合手段が一旦係合した後は、長辺側上枠中間本体部を上方に引き上げない限り、係合部と被係合部との係合状態は保たれるので、長辺側上枠中間本体部と長辺側上枠両端支持部とが不測に外れるといった事態の発生を防止することができる。また、蓋体である上部長側板中間本体部を開いたとき、長辺側上枠中間本体部も一緒に開くので、中の物品を取り出すときに（又は、物品を収納するときに）、長辺側上枠中間本体部が邪魔になるといったことがない。また、上枠体の一方の長辺側上枠及びこれに枢支された一方の上部長側板を、それぞれ軸により枢支した状態で、両端支持部と中間本体部とに分割した構造としているので、例えば長辺側上枠中間本体部及び上部長側板中間本体部を取り外した場合でも、長辺側上枠両端支持部と上部長側板両端支持部とが残ることから、通常の方法で容器の折り畳みと組み立てとが行えるとともに、組み立てた状態での積み重ね使用にも十分に耐えられる強度を有するものである。また、第１の係合手段は、被係合部を係合部に上方より嵌入係止する構造であるので、収納した内容物によって容器に外側方の力が加わっても、この力は第１の係合手段の解除方向とは直交する方向であるため、このような外側方への力によって第１の係合手段が不測に外れることはない。
【００６６】
また、本発明の請求項２記載の折り畳み容器は、長辺側上枠中間本体部を第２の係合手段を介して上部長側板中間本体部に対し高さ方向に摺動させることにより、長辺側上枠中間本体部を上部長側板中間本体部の上縁部に嵌入した状態で保持する保持手段を設けた構成としている。また、本発明の請求項３記載の折り畳み容器は、上部長側板の下縁部と下部長側板の上縁部とを枢支する軸を第１の軸とするとき、長辺側上枠中間本体部を上部長側板中間本体部の上縁部に嵌入して保持手段により保持した状態で、第１の軸から長辺側上枠中間本体部の上端縁までの長さが、第１の軸から底板の下端縁までの長さと同じかこれよりも短くなるように、長辺側上枠中間本体部の摺動距離を設定したものである。これにより、開いた上部長側板中間本体部及び長辺側上枠中間本体部が折り畳み容器の底面部より下方に垂れ下がらない構造となるので、折り畳み容器を多段に積み重ねて使用した場合、上段の折り畳み容器の長辺側上枠中間本体部及び長辺側上枠中間本体部を開放しても、下段の折り畳み容器の長辺側上枠中間本体部及び上部長側板中間本体部の開閉の邪魔になることはない。
【００６７】
また、本発明の請求項４記載の折り畳み容器は、長辺側上枠中間本体部と上下方向に対峙する底板の長辺側側壁を、長辺側上枠中間本体部より若干幅広に切り欠くとともに、その切り欠き深さを、被係合部を係合部に上方より嵌入係止させるために、長辺側上枠中間本体部が長辺側上枠両端支持部より上方に突出する高さよりも若干深くなるように設定している。これにより、折り畳み容器を積み重ねて使用したとき、上段の折り畳み容器の底板に邪魔されることなく、下段側の折り畳み容器の長辺側上枠中間本体部を上方に引き上げることができる。
【図面の簡単な説明】
【図１】本発明の折り畳み容器の全体構成を示した斜視図である。
【図２】第１の係合手段の具体的構造を示す一部拡大した斜視図である。
【図３】第１の係合手段の具体的構造を示す一部拡大した平面図である。
【図４】第１の係合手段の具体的構造を示す一部拡大した正面図である。
【図５】第２の係合手段及び保持手段の具体的構造を示す一部拡大した斜視図である。
【図６】図５に示すウ−ウ線に沿う断面図である。
【図７】長辺側上枠中間本体部を上部長側板中間本体部の上端縁に嵌入した状態を示す断面図である。
【図８】長辺側上枠中間本体部を上部長側板中間本体部の上端縁に嵌入した状態を示す図であって、図５に示すエ−エ線に沿う断面図である。
【図９】長辺側上枠中間本体部及び上部長側板中間本体部を開いた状態を示す一部拡大した側面図である。
【図１０】長辺側上枠中間本体部及び上部長側板中間本体部を開いた状態を示す一部拡大した側面図である。
【図１１】長辺側上枠中間本体部及び上部長側板中間本体部を開いた状態を示す一部拡大した側面図である。
【図１２】上枠体の高さを底板の高さとを同じ高さにして折り畳んだ状態を示す一部拡大した側面図である。
【図１３】本発明の折り畳み容器を折り畳んだ状態を示す一部拡大した側面図である。
【図１４】上部長側板中間本体部の右端部と上部長側板右端支持部との当接部分を示す断面図である。
【図１５】従来の折り畳み容器の全体構成を示す斜視図である。
【図１６】短側板の下縁部と底板の短辺側の上縁部との係合構造を示す一部拡大した斜視図である。
【符号の説明】
１  上枠体
１Ａ  長辺側上枠
１Ａ１  長辺側上枠左端支持部
１Ａ２  長辺側上枠右端支持部
１Ａ３  長辺側上枠中間本体部
３  長側板
４  短側板
５  上部長側板
５Ａ  一方の上部長側板
５Ａ１  上部長側板左端支持部
５Ａ２  上部長側板右端支持部
５Ａ３  上部長側板中間本体部
６  下部長側板
Ｗ  第１の係合手段
２６  Ｔ字形嵌合溝部
２７  第１の当接片
２８  第２の当接片
３５  Ｔ字形嵌合突起部
３６  第１の当接溝
３７  第２の当接溝
Ｘ  第２の係合手段
４１  連接棒
４２  案内片
５１  摺動溝部
Ｙ  保持手段
５７  係止板
５８  係止突起部
７１  軸（第１の軸）
７２  軸（第２の軸）
７３，７４  軸
７５  軸受部
７６  軸受板
７７  連接板
７７ａ  係止段部
【図１】
0003541207.tif 000002
【図２】
0003541207.tif 000003
【図３】
0003541207.tif 000004
【図４】
0003541207.tif 000005
【図５】
0003541207.tif 000006
【図６】
0003541207.tif 000007
【図７】
0003541207.tif 000008
【図８】
0003541207.tif 000009
【図９】
0003541207.tif 000010
【図１０】
0003541207.tif 000011
【図１１】
0003541207.tif 000012
【図１２】
0003541207.tif 000013
【図１３】
0003541207.tif 000014
【図１４】
0003541207.tif 000015
【図１５】
0003541207.tif 000016
【図１６】
0003541207.tif 000017